(57)【要約】      （修正有）【課題】インターネット上の電子書類をユーザーのコンピュータにダウンロードする事無く、簡便に読む仕組みをユーザーのコンピュータ環境に提供する。【解決手段】まずユーザーのコンピュータのインターネットブラウザに追加機能としてアドオンプログラムを提供しインターネットに存在する電子書類のインターネット仮想環境に於けるアドレスを特定しデータ化する。このアドオンプログラムはHTMLページを生成し、電子書類をHTML化する為の変換サーバ・プログラムの情報をユーザーが指定できる。以上の情報から電子書類を転送処理するサーバ・プログラムに通信し、電子書類を転送処理する。転送された電子書類とその仕様情報を電子書類のHTML変換サーバ・プログラム（既存技術）に通信する。以上により電子書類はHTML形式に変換され、ユーザーのコンピュータのインターネットブラウザに表示される。【選択図】図１
2020008968.tif 000002
【特許請求の範囲】
【請求項１】
コンピュータのインターネットブラウザに追加するアドオンプログラムによってインターネット上の電子書類をインターネット仮想環境内の処理でHTMLに変換する機能（既存の変換技術）を利用し、電子書類の内容をインターネットブラウザに開示する機能。
【請求項２】
アドオンプログラムによりHTMLページを生成して、電子書類を変換するサーバを選択可能にし、サーバのログインIDとパスワードを指定する機能。
【請求項３】
アドオンプログラムによりHTMLページを生成して、電子書類を変換する為の処理機能を持つ任意の変換サーバ・プログラムを指定できる機能。
【請求項４】
アドオンプログラムによりHTMLページを生成して、広告（アフェリエイト）を表示させる事を可能とする機能。
【請求項５】
電子書類を事前に転送処理サーバに転送する事で、電子書類を変換するサーバに確実に転送して変換する機能。
【請求項６】
アドオンプログラムからの情報を転送処理サーバの処理プログラムに転送する事で、アドオンプログラムの処理内容が公開されてしまうという脆弱性を回避する機能。
【発明の詳細な説明】
【技術分野】
【０００１】
本発明は、インターネット上の電子書類をコンピュータにダウンロードする事無く、インターネットの仮想環境で変換し安全に読む機能をインターネットブラウザに汎用的に組み込む技術である。
【背景技術】
【０００２】
従来インターネット上の電子書類はユーザーのコンピュータ内にダウンロードを行い、閲覧用のソフトウェアによりユーザーのコンピュータ内で電子書類を開示して読むのが通常の方法であった。
【０００３】
しかし、インターネット上の電子書類の中には悪意あるマルウェア（コンピュータを不正に操作するウォーム等）が内在する物が少なからず存在し、閲覧用のコンピュータにダウンロードを行った事により、データやプログラムを消去・暗号化・破壊・漏洩させる等の悪意ある行為が継続的に発生し、全世界的社会問題となっている。
【０００４】
悪意あるマルウェアを含んだ電子書類を安全化・無害化する技術も存在するが、これらを利用する為には電子書類を含むインターネット上のWEBコンテンツに安全化・無害化機能を組み込む等の仕組みが必要であり、汎用的にかつ簡便に利用する事は困難であった。また無害化は電子書類を用意する側が行う必要がある為に攻撃を画策している側がそのような機能を用意する事もなく、更にはインターネット上の電子書類を悪意により改竄し、マルウェアを含んだ内容にされた場合等は防ぐ手立てが無かった。
【０００５】
本発明では図１に於いて、ユーザーが使用するコンピュータのインターネットブラウザに組み込まれる１００３拡張機能としてアドオンプログラムと呼ばれるプログラムを開発。このアドオンプログラムはインターネット上の１００４電子書類のアドレスを特定する。続いて電子書類のアドレスを１００６転送処理サーバのプログラムに通信する。通信された転送処理サーバのプログラムは電子書類のアドレスから電子書類をそのサーバに転送して内容を分析し変換方法を決定する。１００４電子書類を安全化・無害化したHTMLへの変換を実行する２つ目の１００７変換サーバ・プログラム（既存の変換プログラム）と通信する事によりHTML化を行う。電子書類は上記の２種類のサーバ・プログラムによってマルウェアを完全に排除したHTML形式に変換され、ユーザーのコンピュータのインターネットブラウザに表示される。
【先行技術文献】
【特許文献】
【０００６】
【特許文献１】特許２０１７−５９９６１５４号公報
【特許文献２】特許２０１７−６２１９９５０号公報
【特許文献２】特許２０１８−０７３４２３号公報
【発明の概要】
【発明が解決しようとする課題】
【０００７】
解決しようとする問題点は、インターネット上に存在する電子書類がユーザーのコンピュータにダウンロードされる事により、コンピュータが悪意あるマルウェアにより継続的に攻撃を受けてしまう問題の解決である。
【課題を解決するための手段】
【０００８】
本発明は、インターネット上に存在する電子書類をユーザーのコンピュータにダウンロードする事無く、インターネットの仮想環境でHTML化することで電子書類の内容をユーザーのコンピュータのインターネットブラウザに表示する。
【発明の効果】
【０００９】
本発明による電子書類の文書処理技術はインターネットの仮想環境でHTML化から表示までのプロセスが実行されるためにユーザーのコンピュータが安全であるという利点と電子書類のダウンロードが不要になり、ユーザーのコンピュータで開示する為の閲覧用ソフトを動作させる必要が無くなるので、素早く快適に電子書類が読めるという利点がある。
【図面の簡単な説明】
【００１０】
【図１】電子書類の安全化・HTML化の処理フローチャートである。
【図２】電子書類変換サーバ、ID、パスワード等を指定する画面である。
【発明を実施するための形態】
【００１１】
図１は、本発明ソフトの動作フローチャートで、１001開始、1002インターネットブラウザでユーザーが指定したインターネット上の電子書類について、1003アドオンプログラムによる拡張機能がインターネット上のアドレス情報を取得してデータ化する。
【実施例１】
【００１２】
アドオンプログラムは更に図２のHTMLページを生成して表示し、1004電子書類・変換サーバの特定、ID、パスワードをユーザーが指定する。
【００１３】
図２のHTMLページにはアフェリエイト広告を表示する事が可能で、広告の収入により本発明の機能を広告収入で賄う事も可能だが、この機能の利用は任意である。
【００１４】
アドオンプログラムでデータ化した電子書類のインターネット上のアドレス情報と図２のHTMLページで指定された変換サーバ情報を電子ドキュメント転送処理サーバのプログラムに通信し、プログラムは電子書類を転送処理サーバへ転送を行う。
【００１５】
上記プログラムには暗号化されたサイト、自動化された電子書類の転送を禁止する処理をされたインターネットサイトからも電子書類の転送が可能になる形のコードで転送処理を行うように工夫（既存の技術）されている。
【００１６】
上記プログラムは転送処理サーバに転送された電子書類についてHTML変換処理を行うように、電子書類HTML変換サーバ・プログラムに対して転送処理サーバの文書情報を通信する。
【００１７】
以上により、電子書類はインターネットブラウザに表示可能なHTML形式に変換され、ユーザーが利用するコンピュータ上のインターネットブラウザに表示される。
【産業上の利用可能性】
【００１８】
本発明はインターネットの事業を展開する全ての企業とホームページに資料を掲載する全ての組織と個人にとって有益となり、ホームページを利用する全ての組織と個人にも有益となる。
【符号の説明】
【００１９】
１００１    プログラムの開始
１００２    ホームページを表示するインターネットブラウザ
１００３    インターネットブラウザに機能追加されるアドオンプログラム
１００４    インターネット上に保存された各種電子書類
１００５    アドオンプログラムにより生成されたHTMLページ
１００６    電子書類を転送し一時保存するサーバ・プログラム
１００７    電子書類をHTMLに変換するサーバ・プログラム
【図１】
2020008968.tif 000003
【図２】
2020008968.tif 000004